(57)【特許請求の範囲】
【請求項１】
エレベータドアシューを摺動可能にガイドするための敷居溝を有するエレベータの敷居溝異物混入防止装置であって、
前記敷居溝に遊嵌挿入され該敷居溝を遮蔽する屈曲可能な遮蔽帯と、
エレベータドア内部であって前記ドアシューの周囲に設けられ、前記遮蔽帯の下方に入り込んで配置された遮蔽帯リフタと、
を有し、
エレベータドアが開閉移動するとき、前記遮蔽帯リフタが前記遮蔽帯を順次前記敷居溝から待避させて、その遮蔽帯を前記遮蔽帯リフタの上部に移動させ、前記遮蔽帯が待避した前記敷居溝の部分を前記ドアシューが摺動する、
ことを特徴とするエレベータの敷居溝異物混入防止装置。
【請求項２】
請求項１に記載の敷居溝異物混入防止装置であって、
前記敷居溝の下側を開口したことを特徴とするエレベータの敷居溝異物混入防止装置。
【発明の詳細な説明】
【０００１】
【発明の属する技術分野】
本発明は、エレベータの敷居溝異物混入防止装置、特にエレベータかごや乗場のドアの敷居溝に異物が混入するのを未然に防止するためのエレベータの敷居溝異物混入防止装置に関する。
【０００２】
【従来の技術】
従来から、エレベータドアはかごや乗場の出入口上部の案内レールに吊り下げられ、その下側にはドアから突出したドアシューが設けられている。一方、かごや乗場の床面には、このドアシューをガイドする敷居溝が設けられ、ドアシューは敷居溝にガイドされ、これによってドアが開閉移動する。
【０００３】
ここで、従来のエレベータドアの構成について図を参照し説明する。図３は、エレベータドアの下側部分の内部構造を示す図であり、図４は、図３の４−４線から見た側断面図である。
【０００４】
図３に示すように、エレベータドア４０は、出入口上部の案内レール（図示せず）等に開閉移動可能に吊り下げられている。また、ドア４０には、ドア４０を補強する補強部材４２と、ドア４０の下側へ突出したドアシュー４４が設けられている。ドアシュー４４は、ドア４０に取り付けビス４６等で固定されている。
【０００５】
図４に示すように、エレベータかごや乗場の床面には敷居４８が設けられ、敷居４８には、敷居溝５０が形成されている。この敷居溝５０に、ドアシュー４４が挿入されている。
【０００６】
このように構成されたドア４０において、戸開閉時、ドアシュー４４は敷居溝５０に摺動可能にガイドされ、そのガイドに従ってドア４０が開閉移動を行う。敷居溝５０は、ドアシュー４４が通過する以外は、常時開放されている。
【０００７】
【発明が解決しようとする課題】
このように、敷居溝は開放されているため、異物が混入しやすいという問題がある。敷居溝に異物が混入した場合、戸開閉時に異常音を発したり、開閉不良の原因となっていた。
【０００８】
また、敷居溝に一旦異物が混入してしまうと、敷居溝の下側は閉鎖されているため自然に異物が排出されることがない。このため、定期的に敷居溝に混入した異物を取り除くためにエレベータの保守員や管理者が敷居溝の清掃を行わなければならなかった。
【０００９】
一方、敷居溝の異物混入に対しては、ドアシューにブラシを取り付けたりする技術が開示されているが、異物を効率よく排除するためのものではなかった。
【００１０】
そこで、本発明は、上記課題を解決するためになされたもので、敷居溝を遮蔽し、エレベータの敷居溝に異物の混入を防止することにある。
【００１１】
また、敷居溝の下側を開口し、敷居溝に混入した細かい異物を排出し、異物の混入を防止することにある。
【００１２】
【課題を解決するための手段】
本発明のエレベータの敷居溝異物混入防止装置は、エレベータドアシューを摺動可能にガイドするための敷居溝を有するエレベータの敷居溝異物混入防止装置であって、敷居溝に遊嵌挿入され該敷居溝を遮蔽する屈曲可能な遮蔽帯と、エレベータドア内部であってドアシューの周囲に設けられ、遮蔽帯の下方に入り込んで配置された遮蔽帯リフタと、を有し、エレベータドアが開閉移動するとき、遮蔽帯リフタが遮蔽帯を順次敷居溝から待避させて、その遮蔽帯を遮蔽帯リフタの上部に移動させ、遮蔽帯が待避した敷居溝の部分を前記ドアシューが摺動することを特徴とする。
【００１３】
また、本発明のエレベータの敷居溝異物混入防止装置の敷居溝は、その下側を開口したことを特徴とする。
【００１４】
【発明の実施の形態】
以下、本発明の好適な実施の形態（以下、実施形態という）について、図面を参照し説明する。
【００１５】
図１は、実施形態の敷居溝異物混入防止装置を示す図であり、図２は、図１の２−２線から見た側断面図である。
【００１６】
図１に示すように、エレベータドア１０は、出入口上部の案内レール（図示せず）等に開閉移動可能に吊り下げられている。また、ドア１０には、ドア１０を補強する補強部材１２と、ドア１０の下側へ突出したドアシュー１４が設けられている。ドアシュー１４は、例えば鉄芯に樹脂コーティングを施し敷居溝との摩擦を軽減し、その上部でドア１０に取り付けビス１６等で固定されている。
【００１７】
図２に示すように、エレベータかごや乗場の床面には敷居部材１８ａ，１８ｂからなる敷居１８が設けられ、敷居１８には敷居溝２０が形成されている。上記ドアシュー１４は、この敷居溝２０にスライド自在にガイドされている。
【００１８】
本発明において特徴的なことは、装置に、敷居溝２０を遮蔽する遮蔽帯２４と、この遮蔽帯２４をドアシュー１４が侵入する敷居溝２０から逃がす遮蔽帯リフタ２６が設けられていることである。
【００１９】
遮蔽帯２４は、例えば複数の遮蔽部材２８を屈曲可能に連結して構成する。本実施形態において、遮蔽部材２８は、それぞれ逆凸形状に形成されている。各遮蔽部材２８は、互いに任意の連結部材で連結され、その両端部は敷居１８ａ、１８ｂに固定されている。このように構成された遮蔽帯２４は、敷居溝２０に遊嵌挿入され敷居溝２０を遮蔽して床面と面一とし、敷居溝２０に異物が混入することを防止している。上述したように各遮蔽部材２８は逆凸形状に形成されているので、敷居溝２０に収まりやすく、遮蔽溝２０を遮蔽した後は、敷居溝２０から容易に遊離することがないという利点がある。
【００２０】
ドアシュー１４の移動領域において上記遮蔽帯２４を局部的に待避させるために遮蔽帯リフタ２６が、ドア１０の内部のドアシュー１４の周囲に設けられている。遮蔽帯リフタ２６は、補強部材１２に取り付けビス１６等で固定されている。本実施形態においては、遮蔽帯リフタ２６は樋形状で構成されている。
【００２１】
以下遮蔽帯リフタ２６の作用を説明する。遮蔽帯リフタ２６は、遮蔽帯２４の下方に入り込んで配置されている。すなわち、換言すれば遮蔽帯２４はその一部が樋形状の遮蔽帯リフタ２６の上方に沿って配置されることとなり、この結果、遮蔽帯リフタ２６は、ドア１０が開閉移動する際、遮蔽帯２４を順次敷居溝２０から待避させ、ドアシュー１４のガイド領域を形成することができる。すなわち、ドアシュー１４が敷居溝２０にガイドされ移動するとき、遮蔽帯リフタ２６は、遮蔽帯２４の下方に入り込む。そして、上記ドア１０の移動中、遮蔽帯リフタ２６はドアシュー１４が侵入する敷居溝２０から一部の遮蔽帯２４を逃がし、遮蔽帯リフタ２６上に遮蔽帯２４を移動させる。この結果、ドアシュー１４は、遮蔽帯２４が遮蔽帯リフタ２６に逃がされた後の敷居溝２０内を移動することができる。
【００２２】
また、図２に示すように、本実施形態において、敷居１８は、２つの構造体からなる敷居部材１８ａ、１８ｂで構成されている。敷居部材１８ａ、１８ｂは所定の間隔をもって敷居溝２０を形成する。敷居溝２０の上部は、遮蔽帯２４が遊嵌挿入される幅の溝を構成し、敷居溝２０の下部には、ドアシュー１４がガイドされるために十分な幅の溝が構成されている。すなわち、敷居溝２０は、段差形状で構成されている。敷居溝２０を段差形状に構成することにより、ドアシュー１４と敷居溝２０の上部に隙間が設けられ、ドアシュー１４と敷居溝２０との余分な接触を避けることができる。
【００２３】
敷居溝２０の下側には開口部２２が形成されている。開口部２２は、敷居溝２０に混入した細かい異物を敷居溝２０の下部へ落下させる。
【００２４】
次に、敷居溝異物混入防止装置の作用について説明する。
【００２５】
ドア１０の戸開閉時、ドアシュー１４は敷居溝２０に摺動可能にガイドされ、そのガイドに従ってドア１０が開閉移動を行う。この時、遮蔽帯リフタ２６以外の敷居溝２０は、遮蔽帯２４で遮蔽されている。そして、ドアシュー１４が敷居溝２０にガイドされ移動するとき、遮蔽帯リフタ２６はドアシュー１４が侵入する敷居溝２０から遮蔽帯２４を遮蔽帯リフタ２６の上部に逃がしていく。従って、ドアシュー１４は、遮蔽帯２４が遮蔽帯リフタ２６に逃がされた後の敷居溝２０に沿って移動することができる。次に、ドアシュー１４が逆方向に移動すると、遮蔽帯リフタ２６の上部に一旦逃がされていた遮蔽帯２４は、遮蔽帯リフタ２６から敷居溝２０に再び遊嵌挿入される。従って、遮蔽帯２４は、ドアシュー１４が離れた後の敷居溝２０を再び遮蔽することができる。
【００２６】
このように、敷居溝２０を遮蔽帯２４で遮蔽することとしたので、敷居溝２０に異物が混入することを防止することができる。
【００２７】
また、図２に示すように、敷居溝２０の下側には開口部２２が形成されている。上述したように、遮蔽帯２４は敷居溝２０を遮蔽し、異物の混入を防止するが、連結された遮蔽部材２８の間等から砂状の細かい異物が混入する場合もある。このような砂状の細かい異物が敷居溝２０に混入した場合、砂状の細かい異物は敷居溝２０の開口部２２から下部へ落下する。従って、開口部２２は敷居溝２０内に混入した細かい異物を排出することができる。
【００２８】
以上、本発明について、好適な実施の形態に基づき説明したが、実施の形態の変形例について説明する。
【００２９】
上述した遮蔽部材２８は、図２に示すように逆凸形状で構成されているが、これ以外の形状で構成しても良い。遮蔽部材２８は、例えば直方体形状で良く、敷居溝の形状に合わせて構成することができる。
【００３０】
また、敷居溝２０は段差形状に構成されているが、これ以外の形状で構成しても良い。更に敷居溝２０は、ドアシューの形状に合わせて任意に構成することができる。
【００３１】
【発明の効果】
遮蔽帯リフタから遮蔽帯を遊嵌挿入して敷居溝を遮蔽したので、敷居溝に異物が混入することを防止することができる。これにより、保守員や管理者の敷居溝の清掃を不要もしくは軽減することができる。
【００３２】
また、敷居溝の下側に開口部を形成したので、敷居溝に混入した細かい異物を排出し、異物の混入を防止することができる。
【図面の簡単な説明】
【図１】  実施形態の敷居溝異物混入防止装置を示す図である。
【図２】  図１の２−２線から見た側断面図である。
【図３】  従来のエレベータドアの下側部分の内部構造を示す図である。
【図４】  図３の４−４線から見た側断面図である。
【符号の説明】
１０  エレベータドア、１２  補強部材、１４  ドアシュー、１６  取り付けビス、１８  敷居、１８ａ，１８ｂ  敷居、２０  敷居溝、２２  開口部、２４遮蔽帯、２６  遮蔽帯リフタ、２８  遮蔽部材。
【図１】
0003987679.tif 000002
【図２】
0003987679.tif 000003
【図３】
0003987679.tif 000004
【図４】
0003987679.tif 000005